(57)【特許請求の範囲】
【請求項１】
光源と、液晶パネルとを有し、前記光源からの光を前記液晶パネルに照射し液晶パネルを透過した映像光を投射する液晶プロジェクタにおいて、
前記液晶パネルの入射側に配置される第１の偏光板と、
前記液晶パネルの出射側に配置される第２の偏光板と、
前記液晶パネルと前記第１の偏光板との間、又は前記液晶パネルと前記第２の偏光板との間に配置された光学補償フィルムと、を具備し、
前記光学補償フィルムは、実質的に矩形状を成し、その角部の一部が切断された切除部を有し、前記切除部は、前記光学補償フィルムの隣接する２辺と交わる端部より内側に向かって切り欠いた形状であることを特徴とする液晶プロジェクタ。
【請求項２】
前記光学補償フィルムは、前記液晶パネルに固有の複屈折の影響を低減可能な光学フィルムであることを特徴とする請求項１に記載の液晶プロジェクタ。
【請求項３】
前記切除部は、内側に向かってＵ字状に切り欠いた形状であることを特徴とする請求項１あるいは２に記載の液晶プロジェクタ。
【請求項４】
前記光学補償フィルムは、前記第１偏光板を通過した光が照射される照射光エリアと、この照射光エリアの周辺に位置する周辺部を含み、前記照射光エリアの最外部から前記光学補償フィルムの最外部までの第１の距離は、前記切除部の内縁部から前記照射光エリアの対角部までの第２の距離より小さいことを特徴とする請求項１ないし３のいずれか１つに記載の液晶プロジェクタ。
【請求項５】
前記第１の距離は、前記光学補償フィルムの短辺の幅に比較して、１０％以上１５％以下であることを特徴とする請求項１ないし４のいずれか１つに記載の液晶プロジェクタ。
【請求項６】
光源と、
上記光源からの光を複数の色光に分離する色分離装置と、
上記色分離装置からの複数の色光がそれぞれ入射され、映像信号によって変調された色光をそれぞれ出射する複数の液晶パネルと、
前記複数の液晶パネルの入射側にそれぞれ配置された第１の偏光板と、
前記複数の液晶パネルの出射側にそれぞれ配置された第２の偏光板と、
前記複数の液晶パネルと、それらに対向配置した前記第１の偏光板または前記第２の偏光板の少なくとも一方との間にそれぞれ配置された光学補償フィルムと、
前記各第２の偏光板を透過して出射された個々の液晶パネルからの光を合成する色合成装置と、
前記色合成装置により合成された光を投射する投射光学手段とを具備し、
前記光学補償フィルムは、実質的に矩形状を成し、その角部の一部が切断された切除部を有し、前記切除部は、前記光学補償フィルムの隣接する２辺と交わる端部より内側に向かって切り欠いた形状であることを特徴とする液晶プロジェクタ。
【請求項７】
前記光学補償フィルムは、前記液晶パネルに固有の複屈折の影響を低減可能な光学フィルムであることを特徴とする請求項６に記載の液晶プロジェクタ。
【請求項８】
前記切除部は、内側に向かってＵ字状に切り欠いた形状であることを特徴とする請求項６あるいは７に記載の液晶プロジェクタ。
【請求項９】
前記光学補償フィルムは、前記第１偏光板を通過した光が照射される照射光エリアと、この照射光エリアの周辺に位置する周辺部を含み、前記照射光エリアの最外部から前記光学補償フィルムの最外部までの第１の距離は、前記切除部の内縁部から前記照射光エリアの対角部までの第２の距離より小さいことを特徴とする請求項６ないし８のいずれか１つに記載の液晶プロジェクタ。
【請求項１０】
前記第１の距離は、前記光学補償フィルムの短辺の幅に比較して、１０％以上１５％以下であることを特徴とする請求項６ないし９のいずれか１つに記載の液晶プロジェクタ。
【発明の詳細な説明】
【０００１】
【発明の属する技術分野】
本発明は、液晶パネルを用いた投射型プロジェクタに関する。
【０００２】
【従来の技術】
大画面の画像を表示可能な表示装置として投射型表示装置が知られている。
【０００３】
投射型表示装置としては、画像を表示する像源に、例えばＣＲＴ（カソード・レイ・チューブ）を用い、ＣＲＴに表示された画像を拡大投射するものと、像源に、例えば液晶パネルを用い、液晶パネルに表示された画像を拡大投射するもの（液晶プロジェクタ）が知られている。
【０００４】
液晶パネルを用いた投射型液晶プロジェクタとしては、例えば光源（ランプ）、照明光学系、色分離光学系、液晶パネル、色合成光学系、および投射光学系等から構成される単板式あるいは３板式の液晶プロジェクタがある。
【０００５】
３板式の液晶プロジェクタは、色分離光学系を用いて、光源（ランプ）からの白色光をＲ（赤）、Ｇ（緑）、Ｂ（青）の３色に分離し、分離された色光をＲ，ＧおよびＢ用の３枚の液晶パネルに照射してＲ，ＧおよびＢ用の画像を得た後、色合成光学系により合成して１枚のカラー画像とし、投射レンズにより、例えばスクリーンに投射するものである（特許文献１）。
【０００６】
液晶パネルとして、例えば周知のＴＮ（ツイステッドネマティック）型の液晶材が用いられる場合には、液晶パネルの前段と後段に２枚の偏光板が配置される。ＴＮ型の液晶材を用いた液晶パネルを用いる場合、通常多くの液晶パネルは、非通電時に「白」表示で、通電時に「黒」表示となるように上記２枚の偏光板を配置する。
【０００７】
しかし、実際の照明光学系では完全な平行光だけではなく、斜め光成分もあるため、斜め光成分が液晶パネルに入射することにより、複屈折が生じる。複屈折は、ガラス基板付近のネマティック液晶のプレチルト状態（配向角度が連続的に変化している状態）によっても生じる。
【０００８】
複屈折が生じることで、入射側偏光板で直線偏光となった入射光の偏光軸は乱される。これによって、「黒」を出力したい場合、出射側偏光板によっても不要光（非画像光）は、完全に遮断されず、光漏れが生じる。この光漏れが、コントラスト（「白」と「黒」の輝度比）が低下する要因となる。
【０００９】
コントラストの低下を抑止するため、液晶パネルと２枚の偏光板に加え、複屈折の影響を低減可能な光学補償フィルムを用いることが既に提案されている（特許文献２）。
【００１０】
しかし、液晶プロジェクタにおいては、光源からの光により光学補償フィルムが高温になりやすいため、熱収縮によるひずみが生じる。このため、光学補償フィルムは、性能を充分に維持できず、コントラストを向上できない問題がある。
【００１１】
なお、光学補償フィルムに組成が類似している偏光板に関し、延伸軸方向の縮みの影響を低減するために偏光板の四端を丸くする提案がある（特許文献３）。
【００１２】
【特許文献１】
特許第３０４５１５５号公報
【００１３】
【特許文献２】
特許第３１１８２０８号公報
【００１４】
【特許文献３】
特開平８−６０１４号公報（図１、要約書）
【００１５】
【発明が解決しようとする課題】
上述した通り、光学補償フィルムは、光源からの熱による熱収縮の影響で本来の特性が維持できない問題がある。特に、光学補償フィルムが矩形状である場合は、熱収縮による応力集中が生じやすい周辺部分において、コントラストむらが生じる問題がある。例えばアスペクト比が４：３の液晶パネルに、画面の上下が黒となるアスペクト比が１６：９の映像を入力した場合に、画面の４隅が、画面中央より明るくなり、画像品位を低下させる問題がある。
【００１６】
本発明は、液晶パネルに固有の複屈折の影響を低減可能な光学補償フィルムを用いる液晶プロジェクタにおいて、コントラストむらを改善し、画像品位を向上することを目的とする。
【００１７】
【課題を解決するための手段】
この発明は、上述した問題点に基づきなされたもので、光源と、液晶パネルとを有し、前記光源からの光を前記液晶パネルに照射し液晶パネルを透過した映像光を投射する液晶プロジェクタにおいて、前記液晶パネルの入射側に配置される第１の偏光板と、前記液晶パネルの出射側に配置される第２の偏光板と、前記液晶パネルと前記第１の偏光板との間、又は前記液晶パネルと前記第２の偏光板との間に配置された光学補償フィルムとを具備し、前記光学補償フィルムは、実質的に矩形状を成し、その角部の一部が切断された切除部を有し、前記切除部は、前記光学補償フィルムの隣接する２辺と交わる端部より内側に向かって切り欠いた形状であることを特徴とする。
【００１８】
また本発明の液晶プロジェクタは、光源と、上記光源からの光を複数の色光に分離する色分離装置と、上記色分離装置からの複数の色光がそれぞれ入射され、映像信号によって変調された色光をそれぞれ出射する複数の液晶パネルと、前記複数の液晶パネルの入射側にそれぞれ配置された第１の偏光板と、前記複数の液晶パネルの出射側にそれぞれ配置された第２の偏光板と、前記複数の液晶パネルと、それらに対向配置した前記第１の偏光板または前記第２の偏光板の少なくとも一方との間にそれぞれ配置された光学補償フィルムと、前記各第２の偏光板を透過して出射された個々の液晶パネルからの光を合成する色合成装置と、前記色合成装置により合成された光を投射する投射光学手段とを具備し、前記光学補償フィルムは、実質的に矩形状を成し、その角部の一部が切断された切除部を有し、前記切除部は、前記光学補償フィルムの隣接する２辺と交わる端部より内側に向かって切り欠いた形状であることを特徴とする。
【００１９】
【発明の実施の形態】
以下、図面を参照してこの発明の実施の形態を説明する。
【００２０】
図１は、この発明の実施の形態が適用可能な３板式の液晶プロジェクタの構成を概略的に示している。これに限られず、単板式の液晶プロジェクタであっても良い。
【００２１】
図１に示される通り、液晶プロジェクタ１（３板式の液晶プロジェクタ）は、以下に順に説明する液晶表示部１５０を含む光学ボックス１００と、ランプ（光源）ユニット２００と、液晶表示部１５０からの出力画像を、例えばスクリーンに投映する投射レンズ３００を有する。
【００２２】
光学ボックス１００は、以下に説明するランプユニット２００からの白色光をＲ（赤）、Ｇ（緑）およびＢ（青）の３色に分離する第１，第２のダイクロイックミラー１０４，１０８（色分離光学系）と、ダイクロイックミラー１０４により分離されたＲ光が照射されるＲ用液晶パネル１０７と、ダイクロイックミラー１０８により分離されたＧ光が照射されるＧ用液晶パネル１１０と、ダイクロイックミラー１０８を透過したＢ光が照射されるＢ用液晶パネル１１６と、各液晶パネルを透過したＲ光、Ｇ光およびＢ光）を合成するダイクロイックプリズム１１８（色合成光学系）と、を含む。
【００２３】
Ｒ用液晶パネル１０７の光入射側と光出射側には、それぞれ、第１の偏光板１２０と第２の偏光板１２１が配置されている。同様に、Ｇ用液晶パネル１１０の光入射側と光出射側には、それぞれ、第１の偏光板１２２と第２の偏光板１２３が配置されている。また、Ｂ用液晶パネル１１６の光入射側と光出射側には、それぞれ、第１の偏光板１２４と第２の偏光板１２５が配置されている。
【００２４】
それぞれの液晶パネルと第１の偏光板との間、すなわちＲ用の第１の偏光板１２０と液晶パネル１０７との間、Ｇ用の第１の偏光板１２２と液晶パネル１１０との間、Ｂ用の第１の偏光板１２４と液晶パネル１１６との間には、後段に説明する液晶パネルに固有の複屈折の影響を低減可能なシート状あるいはフィルム状の光学補償部材（以下光学補償フィルムと呼称する）１２６ないし１２８が設けられている。なお、各光学補償フィルム１２６ないし１２８は、それぞれの液晶パネル１０７，１１０および１１６と対応する第２の偏光板１２０，１２３および１２５との間に設けられてもよい。また、それぞれの光学補償フィルム１２６ないし１２８は、直接、液晶パネル１０７，１１０および１１６若しくは偏光板１２０ないし１２５に貼り付けられてもよい。
【００２５】
光学補償フィルム１２６，１２７および１２８は、例えば商品名「ＷＶ  FilmワイドビューＡ」（株式会社富士写真フィルム）等を用いることができる。
【００２６】
ランプユニット２００は、例えばハロゲンランプやＸｅ（キセノン）ランプである発光管２０１と、リフレクタ２０２と、支持部２０３を含み、発光管２０１からの光（白色光）を光学ボックス１００のフィルタ１０１に向けて出射する。ランプユニット２００からの光は、フィルタ１０１により赤外線や紫外線等の不要光が除去されて、コンデンサレンズ１０２により液晶パネルに集光される。コンデンサレンズ１０２を通過した光は、反射ミラー１０３により反射され、ダイクロイックミラー１０４に案内される。
【００２７】
ランプユニット２００からの光は、ダイクロイックミラー１０４により、Ｒ光とＧＢ光に分離される。ダイクロイックミラー１０４で分離されたＲ光は、ミラー１０５により反射され、フィールドレンズ１０６を介してＲ用液晶パネル１０７の前面に位置されている第１の偏光板１２０に案内される。
【００２８】
又、ダイクロイックミラー１０４で分離されたＧＢ光は、ダイクロイックミラー１０８によりＧ光とＢ光にさらに分離される。
【００２９】
ダイクロイックミラー１０８で分離されたＧ光は、フィールドレンズ１０９を介してＧ用液晶パネル１１０の前面に位置されている第１の偏光板１２２に案内される。
【００３０】
ダイクロイックミラー１０８で分離されたＢ光は、リレーレンズ１１１、反射ミラー１１２、リレーレンズ１１３、反射ミラー１１４およびリレーレンズ１１５により順に案内され、Ｂ用液晶パネル１１６の前面に位置されている第１の偏光板１２４に導かれる。
【００３１】
偏光子１２０，１２２および１２４に入射した各色の光は、光学補償フィルム１２６，１２７および１２８を通って、それぞれの色用の液晶パネル１０７，１１０および１１６に案内される。
【００３２】
各液晶パネル１０７，１１０および１１６を透過した光は、出射側に配置されている第２の偏光板１２１，１２３および１２５に、それぞれ案内される。
【００３３】
第２の偏光板１２１，１２３および１２５を通過した各色（Ｒ，ＧおよびＢ）の光すなわち３色の映像光は、ダイクロイックプリズム１１８に案内される。
【００３４】
ダイクロイックプリズム１１８により合成された映像光は、投射レンズ３００により、スクリーン（図示せず）に投射される。
【００３５】
Ｒ，ＧおよびＢ用の液晶パネル１０７，１１０および１１６は、映像光を生成するための情報である映像信号（Ｒ，ＧおよびＢの原色信号）が入力される画像制御装置（図示せず）と接続されている。各色用の液晶パネルは、画像制御装置から供給される映像信号に基づいて選択的に透過率が変化されるので、映像信号に対応した３つのカラー画像が得られ、それらがダイクロイックプリズム１１８により合成されることで、フルカラー映像が得られる。
【００３６】
ところで、液晶パネル、特にＴＮ（ツイステッドネマティック）型の液晶材を用いた液晶パネルにおいては、図２を用いて以下に説明する複屈曲の影響を考慮する必要がある。なお、図１を用いて説明した液晶パネル１０７，１１０および１１６は、実質的に同一の液晶パネルであるから、以下、液晶パネルを符号２１で、第１の偏光板を符号２２で、第２の偏光板を同２３で、それぞれ説明する。
【００３７】
図２に示されるように、液晶パネル２１は、入射側および出射側に、透過軸が互いに直交するように配置された第１および第２の偏光板２２，２３を有する。この液晶パネル２１は、ガラス基板２１Ａと２１Ｂの間にネマティック液晶が封入されたものである。
【００３８】
液晶パネル２１のセルに電圧が印加されていない場合（図２（ａ））、液晶材の配向の方向は、ガラス基板２１に平行で、入射側偏光板２２の偏光の方向と向きが９０度ねじれたツイスト配向となっている。入射側偏光板２２により直線偏光となった入射光は、液晶の結晶のねじれに沿って偏光面が９０度回転するため、出射側偏光板２３を通り抜けて「白」を表示することができる。
【００３９】
これに対して、図２（ｂ）に示されるように、液晶セルに高い電圧を印加した場合、液晶の結晶は、ガラス基板２１Ａ，２１Ｂに垂直な電界に沿った配向（ホメオトロピック配向）となる。このため、入射側偏光板２２により直線偏光とされた光は、結晶のねじれが生じないことにより、偏光面が回転されない。これにより、入射光は、出射側偏光板２３により遮断され、「黒」として表示される。なお、ガラス基板２１Ａ，２１Ｂ付近の液晶の結晶は、プレチルト状態（斜傾配向）となっている。
【００４０】
図３は、液晶分子の複屈折を説明するための屈折率楕円体モデル図であって、ネマティック液晶が光学的に正の一軸性の物質であることを示している。
【００４１】
図３に示される通り、ネマティック液晶は、例えばラグビーボール型の屈折率楕円体として表わすことができ、液晶パネルを通る光軸と平行（液晶パネルと垂直）に入射した光３１と、斜めに入射した光３２，３３を考えると、斜めに入射した光３２，３３に対して、複屈折が生じる。
【００４２】
図４は、光学補償フィルムに用いられる材料の屈折率楕円体モデル図であって、光学補償フィルムが光学的に負の一軸性を有することを示している。
【００４３】
図４においては、液晶パネルを通る光軸と平行（液晶パネルと垂直）に入射した光４１と、斜めに入射した光４２，４３を考えると、斜めに入射した光４２，４３に対して、複屈折が生じる。
【００４４】
図４から明らかなように、光学的に負の一軸性を有する光学補償フィルムは、ネマティック液晶の正の一軸性に対して逆の性質を有するため、斜めに入射した光４２，４３に生じる複屈折の方向は、図３に示した液晶において生じる複屈折の方向と逆向きであり、従って、ネマティック液晶に固有の複屈折の影響が画像に現れることを打ち消すことができる。
【００４５】
図５は、本実施例で用いる光学補償フィルムを説明する概略図である。なお、なお、図１を用いて説明した光学補償フィルム１２６ないし１２８は、実質的に同一であるから、以下、光学補償フィルムを符号５０により説明する。
【００４６】
光学補償フィルム５０は、光学的に負の一軸性を有する材料を含む支持体５１と、塗布層（光学異方性層）５２を有する。塗布層５２は、個々の液晶パネルに封入されている液晶の結晶のプレチルト状態に対応して配列されており、液晶の結晶に起因するプレチルト状態により生じる複屈折を打ち消すことができる。
【００４７】
上述のように、液晶パネルに斜めの光が入射することにより、または、プレチルト状態により発生される複屈折を打ち消す光学補償フィルムを用いることで、要求されるコントラストを得ることができる。
【００４８】
ところで、図１を用いて前に説明した投射型液晶プロジェクタにおいては、光学補償フィルム１２６ないし１２８は、ランプユニット２００と一体の光学ボックス１００に位置されるので、発光管２０１からの熱により、例えば８５℃程度の高温になる。また、プロジェクタが設置される環境に支配されるが、室温も９０％ＲＨ程度に達する。このため、光学補償フィルム１２６ないし１２８が熱により収縮して、特に周辺部でコントラストが低下することは既に説明した通りである。
【００４９】
以下、図６を用いて光学補償フィルムが、熱により収縮してもコントラストの低下を抑制可能な本発明の実施の形態を説明する。
【００５０】
図６は、液晶プロジェクタに組み込まれる光学補償フィルムの正面図である。なお、図１を用いて説明した光学補償フィルム１２６ないし１２８は、実質的に同一であるから、以下、光学補償フィルムを符号６０により説明する。
【００５１】
光学補償フィルム６０は、概ね矩形状で、例えばガラス基板６１に貼り付けられている。
【００５２】
光学補償フィルム６０は、角部分が非鋭角（鈍角）となるよう、かつ、直線により形成された切除部６０ａを有する。光学補償フィルム６０はまた、第１の偏光板を通過した照明光のエリア６２の周辺部であって、照明光が直接照射されない縁エリア６０Ａを含む。
【００５３】
光学補償フィルム６０のサイズは、縁エリア６０Ａにおいて、熱収縮によるひずみを吸収できる大きさであって、光学補償フィルム（或いはガラス基板）の大きさを不所望に増大することのないように設定される。縁エリア６０Ａの大きさは、例えば照明光のエリア６２の最外部から光学補償フィルム６０の最外部まで距離６０ｂで表わすと、光学補償フィルム６０の短辺の幅６０ｃに比較して、１０％以上に設定される。但し、光学補償フィルム（或いはガラス基板）の大きさを不所望に増大させないために、距離６０ｂは、光学補償フィルム６０の短辺の幅６０ｃに比較して、好ましくは１５％程度に制限される。
【００５４】
切除部６０ａの直線部と照明光のエリア６２の対角部との間の距離６０ｄは、例えば光学補償フィルム６０が熱収縮したとしても照明光のエリア６２に影響を及ぼさない程度であって、好ましくは６０ｂ≦６０ｄの範囲である。
【００５５】
このように、光学補償フィルム６０の周辺部、すなわち縁エリア６０Ａは、発光管２０１からの熱により収縮したとしても（光学補償フィルム６０を通過する）照明光のエリア６２に、熱収縮の影響を及ぼすことなく、しかも、熱収縮による応力集中が最小となる形状に形成されているので、投射レンズ３００に向けて出射される画像コントラストが、特に、光学補償フィルム６０の周辺部において改善される。また、切除部６０ａが直線状であるため、製造効率もよい。
【００５６】
図７は、図６に示した光学補償フィルムと異なる形状の切り欠きを有する光学補償フィルムの例を説明する概略図である。なお、図７においては、図６との識別のため、光学補償フィルムを符号７０で、説明する。
【００５７】
図７に示される通り、光学補償フィルム７０は、概ね矩形で、隣接する２辺が交わる部分が頂部（角部）を含まないように、かつ任意の形状（Ｕ字型）に切断された切り欠き７０ａを有している。なお、光学補償フィルム７０は、図６を用いて前に説明した光学補償フィルム６０と同様に、ガラス基板７１に貼り付けられている。
【００５８】
光学補償フィルム７０の周辺部、すなわち縁エリア７０Ａの大きさは、例えば照明光のエリア７２の最外部から光学補償フィルム７０の最外部まで距離７０ｂで表わすと、光学補償フィルム７０の短辺の幅７０ｃに比較して、１０％以上に設定される。但し、光学補償フィルム（或いはガラス基板）の大きさを不所望に増大させないために、距離７０ｂは、光学補償フィルム７０の短辺の幅７０ｃに比較して、好ましくは１５％程度に制限される。
【００５９】
切り欠き部７０ａの内縁部と、照明光のエリア７２の対角部との間の距離７０ｄは、例えば光学補償フィルム７０が熱収縮したとしても照明光のエリア７２に影響を及ぼさない程度であって、好ましくは７０ｂ≦７０ｄの範囲である。
【００６０】
このように、光学補償フィルム７０の周辺部（縁エリア７０Ａ）は、図６に示した光学補償フィルム６０同様、熱により収縮したとしても照明光のエリア７２に、熱収縮の影響を及ぼすことなく、しかも、熱収縮による応力集中が最小となる形状に形成されているので、投射レンズ３００に向けて出射される画像コントラストが、特に、周辺部において改善される。
【００６１】
上述したように、光学補償フィルム６０（７０）の隣接する辺が交わる位置を直線状に切断し、または隣接する辺が交わる部分が頂部（角部）を含まないように、かつ任意の形状（Ｕ字型）に切断した切り欠き６０ａ（７０ａ）を設けることにより、照明光が投影される照明光のエリア６２（７２）のひずみを縁エリア６０Ａ（７０Ａ）に吸収させることができる。これにより、光学補償フィルムの作用が均一に提供される照明光のエリア１２を確保することができる。よって、投射された映像すなわち出力画像のコントラストむらが軽減される。
【００６２】
なお、本実施例では、光学補償フィルムは、ガラス枠等を用いて固定されるので、液晶プロジェクタを組み立てる際のフィルムの固定（配置）や取り扱いも容易である。
【００６３】
【発明の効果】
以上説明したように本発明によれば、光学補償フィルムの周辺部の形状を、熱による収縮の影響が画像に影響を及ぼすことが少ない形状としたので、出力画像のコントラストむらが軽減される。よって、周辺部（特に、４隅）が黒の画像を表示する場合においても、投影された映像の周辺部と中心部との間で、明暗差が生じることを排除できる。
【００６４】
また、光学補償フィルムを冷却するための冷却装置を付け加える必要がないため、大型化することなく、コントラストの改善された画像が得られる液晶プロジェクタが実現できる。
【図面の簡単な説明】
【図１】本発明における液晶プロジェクタの主要部である光学配置図。
【図２】液晶パネルの動作原理図。
【図３】液晶分子の複屈折を示す屈折率楕円体モデル図。
【図４】液晶分子の複屈折を示す屈折率楕円体モデル図。
【図５】液晶パネルの動作原理図。
【図６】本発明の液晶プロジェクタにおける光学補償フィルムの実施例を示す正面図。
【図７】本発明の液晶プロジェクタにおける光学補償フィルムの実施例を示す正面図。
【符号の説明】
１…液晶プロジェクタ、１００…光学ボックス、１０４，１０８…ダイクロイックミラー、１０７，１１０，１１６…液晶パネル、１１８…ダイクロイックプリズム、１２０〜１２５…偏光板、１２６〜１２８…光学補償フィルム、１５０…液晶表示部、２００…ランプユニット、２０１…発光管、３００…投射レンズ、６０ａ，７０ａ・・・切り欠き部（切除部）。
【図１】
0003708921.tif 000002
【図２】
0003708921.tif 000003
【図３】
0003708921.tif 000004
【図４】
0003708921.tif 000005
【図５】
0003708921.tif 000006
【図６】
0003708921.tif 000007
【図７】
0003708921.tif 000008